(57)【特許請求の範囲】
【請求項１】
組み付け電球や発光ダイオードやトランジスターやコンデンサーなどの回路組付け体を固定具を介して回路基板に電触状態で固定する回路組付け体固定装置であって、前記固定具は、前記回路基板の係止孔に圧入係止する先端に鉤状部が形成された係止部を有する構造であり、また、前記回路組付け体を収納する収納部を有して回路組付け体の導電部を露出させた状態で被覆する抗縮弾性体を設け、この回路組付け体を収納した抗縮弾性体を回路基板側へ向けて抱持し得る保持部を前記固定具に設けて、この保持部で回路組付け体に被覆される抗縮弾性体を抱持して固定具を回路基板に付設した際、この抗縮弾性体の所定位置から露出する導電部が、抗縮弾性体と回路基板とで挟持されることで抗縮弾性体の付勢により回路基板の電通部に押圧接触せしめられるように構成したことを特徴とする回路組付け体固定装置。
【請求項２】
前記回路組付け体に抗縮弾性体を被覆した際、前記回路組付け体の導電部が抗縮弾性体の所定位置から突出するように構成し、この抗縮弾性体の所定位置から突出する導電部が、回路組付け体を固定具を介して回路基板に固定した際、抗縮弾性体と回路基板とで挟持されることで抗縮弾性体の付勢により回路基板の電通部に押圧接触せしめられるように構成したことを特徴とする請求項１記載の回路組付け体固定装置。
【請求項３】
前記回路組付け体として、発光部と、該発光部に連設される導電部とから成る発光体を採用したことを特徴とする請求項１，２のいずれか１項に記載の回路組付け体固定装置。
【発明の詳細な説明】
【０００１】
【発明の属する技術分野】
本発明は、回路組付け体固定装置に関するものである。
【０００２】
【従来の技術及び発明が解決しようとする課題】
従来から、例えばパチンコ台やゲーム機などの遊戯用機器には、プレイヤーの射幸心を煽ることを目的として盤面に比較的小さな電球を多数付設する手法が施されているが、この電球を基板（回路基板）に一つ一つハンダ付けしていたのでは極めて作業性が悪い。
【０００３】
そこで、従来において、例えば特開平７−３３５３４８号に開示される電球取付装置（以下、従来例という。）が提案されている。
【０００４】
この従来例は、基板に形成した係止孔に係止する係止部を備えた硬質樹脂製のソケットを設け、このソケットを介して電球を基板に電触状態で固定することができるように設けられたものであり、それまでのハンダ付け作業に比して取り付け作業性が良好とされる。
【０００５】
しかしながら、本出願人は、この従来例について種々試してみたところ、以下の問題点があることを確認した。
【０００６】
即ち、従来例は、電球とソケットとの組み立て後における寸法誤差によるガタや器機本体から生じる振動や電球の熱によりソケットが変形することで生じるガタなどの理由から電球の導電部（導電線）と基板の電通部との接触が悪くなり安定した電気供給が行われない場合があり、しかも、この器機本体から生じる振動が原因して電球が壊れ易く（フィラメントが切れ易く）、そして更に、その構造上、ソケットの係止部の表面に電球の導電線が配設される構成の為、ソケットの係止部を基板の係止孔に挿入する際、この係止部の表面に配設される導電線が挟まれて傷つき易いのである。
【０００７】
本発明は、上述の問題点を解決する回路組付け体固定装置を提供するものである。
【０００８】
【課題を解決するための手段】
添付図面を参照して本発明の要旨を説明する。
【０００９】
組み付け電球や発光ダイオードやトランジスターやコンデンサーなどの回路組付け体１を固定具２を介して回路基板３に電触状態で固定する回路組付け体固定装置であって、前記固定具２は、前記回路基板３の係止孔３ａに圧入係止する先端に鉤状部８ａが形成された係止部５を有する構造であり、また、前記回路組付け体１を収納する収納部６ａを有して回路組付け体１の導電部１ｂを露出させた状態で被覆する抗縮弾性体６を設け、この回路組付け体１を収納した抗縮弾性体６を回路基板３側へ向けて抱持し得る保持部７を前記固定具２に設けて、この保持部７で回路組付け体１に被覆される抗縮弾性体６を抱持して固定具２を回路基板３に付設した際、この抗縮弾性体６の所定位置から露出する導電部１ｂが、抗縮弾性体６と回路基板３とで挟持されることで抗縮弾性体６の付勢により回路基板３の電通部４に押圧接触せしめられるように構成したことを特徴とする回路組付け体固定装置に係るものである。
【００１０】
また、前記回路組付け体１に抗縮弾性体６を被覆した際、前記回路組付け体１の導電部１ｂが抗縮弾性体６の所定位置から突出するように構成し、この抗縮弾性体６の所定位置から突出する導電部１ｂが、回路組付け体１を固定具２を介して回路基板３に固定した際、抗縮弾性体６と回路基板３とで挟持されることで抗縮弾性体６の付勢により回路基板３の電通部４に押圧接触せしめられるように構成したことを特徴とする請求項１記載の回路組付け体固定装置に係るものである。
【００１１】
また、前記回路組付け体１として、発光部１ａと、該発光部１ａに連設される導電部１ｂとから成る発光体を採用したことを特徴とする請求項１，２のいずれか１項に記載の回路組付け体固定装置に係るものである。
【００１２】
【発明の実施の形態】
好適と考える本発明の実施の形態（発明をどのように実施するか）を、図面に基づいてその作用効果を示して簡単に説明する。
【００１３】
本発明は、回路組付け体１を固定具２を介して回路基板３に電触状態で固定されることになる。
【００１４】
この際、回路組付け体１の導電部１ｂは回路組付け体１に被覆せしめられた抗縮弾性体６に付勢されて回路基板３の電通部４に押圧接触せしめられている。
【００１５】
従って、回路組付け体１の回路基板３への取り付けが非常に簡易に行えるのは勿論、抗縮弾性体６の付勢を利用して回路組付け体１の導電部１ｂを回路基板３の電通部４へ押圧接触せしめる構成であるから、この抗縮弾性体６の付勢作用の及ぶ範囲であれば、仮に回路組付け体１と固定具２との間に寸法誤差があっても、また、例えば被取付機体からの振動を長期に受けたとしてもガタが生じるのを確実に防止することで確実に回路組付け体１の導電部１ｂを回路基板３の電通部４へ押圧接触せしめて安定的な電気供給が達成されることになり、しかも、回路組付け体１から生じる熱を抗縮弾性体６で抑制して固定具２が変形するのも可及的に防止することで、この点においてもガタが生じるのを確実に防止されることになり安定的な電気供給が達成されることになる。
【００１６】
また、本発明は、回路組付け体１に被覆された抗縮弾性体６が回路組付け体１に対する外部からの振動を保護するクッション作用を発揮することで、例えば取り付け機体から生じる振動を抗縮弾性体６が吸収することで回路組付け体１の故障等は可及的に解消されることになる。
【００１７】
また、本発明は、単に係止部５により固定具２を回路基板３に係止させるだけで、回路組付け体１に被覆される抗縮弾性体６を回路基板３側へ向けて抱持して回路基板３に押圧接触せしめることができるから、回路組付け体１における回路基板３への固定が極めて簡易行え、しかも、回路組付け体１から生じる熱が伝達されにくい抗縮弾性体６で被覆された部分を抱持して回路組付け体１を保持する構成であるから、固定具２への熱の伝達が抑制されてより一層固定具２の変形は防止されてガタを生じにくくすることができ、ひいては安定的な電気供給が達成されることになり、そして更に、簡易構造でありながら前述した良好な作用効果を確実に発揮することができ、しかも、簡易構造故に量産性に秀れ且つコスト安となる。
【００１８】
また、請求項２記載の発明のように構成した場合には、抗縮弾性体６による回路組付け体１の保護が良好に行われるのは勿論、回路組付け体１の導電部１ｂにおける回路基板３の電通部４への押圧接触が、前述した従来例と異なり、回路基板３に対する固定具２の装着とは関係のないところ、つまり、硬質な部材同志が接触する部分で行われることのない抗縮弾性体６の弾性が作用する部位で行われることになるから、回路基板３へ固定具２を装着する際に導電部１ｂが破損してしまうようなことはなく、しかも、この抗縮弾性体６の所定位置から突出する導電部１ｂを抗縮弾性体６と回路基板３とで挟持し、抗縮弾性体６の付勢により回路基板３の電通部４に押圧接触せしめられる構成であるから、確実且つ良好な押圧接触が行われることになり、そして更に、その組み付けが極めて簡易に行える構造故に量産性に秀れ且つコスト安となる。
【００１９】
また、請求項３記載の発明のように構成した場合には、回路組付け体１として、発光部１ａと、該発光部１ａに連設される導電部１ｂとから成る発光体を採用することで、例えばパチンコ台やゲーム機などの遊戯用機器に多数配設される発光体において求められる品質安定性（安定的な電気供給）及び耐久性を飛躍的に向上することができ、その特性を十分に発揮し得ることになる。
【００２０】
【実施例】
図１，２は本発明の第一実施例、図３，４は第二実施例であり、以下に説明する。
【００２１】
符号３は表面に電通部４を配設した回路基板である。
【００２２】
第一実施例について説明する。
【００２３】
第一実施例は、回路組付け体としての発光体１を固定具２を介して回路基板３に電触状態で固定するものである。尚、本実施例はパチンコ台の基盤（化粧盤）に付設される発光体１の固定装置として構成されているが、本実施例の特性を発揮し得るもの（使用形態）でれば適宜設計変更し得るものであり、しかも、発光体１に限らず、回路基板３に電触状態で組み込むトランジスターやコンデンサーなどの回路組付け体でもその応用範囲は多岐にわたるものである。
【００２４】
以下、本実施例に係る構成各部について詳細な説明をする。
【００２５】
発光体１は、図１，２に図示したように細長形状の発光部１ａと、この発光部１ａの下面から突設され、回路基板３の電通部４と接触せしめる導電線としての導電部１ｂとから成る公知の回路組付用の電球である。
【００２６】
固定具２は、図１，２に図示したように適宜な合成樹脂製の部材を一体成形したものであり、発光体１に被覆される抗縮弾性体６に上方から被嵌して該発光体１を保持し得る筒状の保持部７と、該保持部７の下面に垂設される係止片８とで構成されている。
【００２７】
保持部７は、その上端内周面に鍔片７ａが突設され、この鍔片７ａは、固定具２の上部開口部から発光体１に係る発光部１ａを貫通させた際、発光体１に被覆される抗縮弾性体６の上端に係止し得る程度の突出度合いに設定されている。
【００２８】
係止片８は、保持部７の下面所定位置にして対向二箇所に垂設されており、この係止片８の先端には鉤状部８ａが形成されている。
【００２９】
この鉤状部８ａは、固定具２を回路基板３に付設する際、回路基板３に形成される係止孔３ａに係止片８を圧入させると、鉤状部８ａが回路基板３の裏面に係止することで固定具２は回路基板３にカチッとワンタッチで係止されることになる。この係止片８が請求項で言う係止部５である。
【００３０】
また、この係止片８の長さ及び鉤状部８ａの位置は、発光体１の導電部１ｂが回路基板３の電通部４に所定の押圧力で接触せしめられる抗縮弾性体６の付勢力が考慮されており、この抗縮弾性体６の長さとともに適宜設計されている。
【００３１】
抗縮弾性体６は、図１，２に図示したように適宜なゴム部材を有底筒状に形成したものであり、発光部１ａの一部が露出（突出）状態となるように発光体１に被覆し得る収納部６ａを設けて構成されている。
【００３２】
また、抗縮弾性体６は、その内部の二か所に貫通孔６ａ’が形成されており、この貫通孔６ａ’は抗縮弾性体６を発光体１に被覆連結せしめた際、導電部１ｂを貫通させて抗縮弾性体６の外底面からその一部を露出（突出）させるためのものである。
【００３３】
また、抗縮弾性体６は、その下方外周面にして前記貫通孔６ａ’夫々の近傍位置に凹溝６ｂが形成されており、この凹溝６ｂは、当該貫通孔６ａを介して外部に突出させた導電部１ｂを折り曲げて配設するためのものである。
【００３４】
また、本実施例では、抗縮弾性体６の外底面を凹凸面に形成することで抗縮弾性体６の素材が持つ弾性の他にも形状変化による弾性を利用することで通電部４への接触をより一層良好にせしめることができる。
【００３５】
尚、抗縮弾性体６としてはゴム部材に限らず例えばシリコン樹脂など適度な弾性を備え、且つ、耐熱性に秀れた合成樹脂など本実施例の特性を発揮し得るものであれば適宜採用するものである。
【００３６】
以上の各構成部材から成る本装置は、先ず、発光体１を抗縮弾性体６の収納部６ａに収納して被覆状態とする。この際、発光体１の発光部１ａの一部だけが露出した状態となり、そして、発光体１の導電部１ｂは夫々抗縮弾性体６の底部に形成された貫通孔６ａ’から外部に突出状態に配され、抗縮弾性体６の下方周面部に形成される凹溝６ｂに折り曲げ配設することになる。
【００３７】
続いて、この状態で抗縮弾性体６が被覆された発光体１に固定具２を上方から被嵌させ、抗縮弾性体６の上端に固定具２の鍔片７ａが係止するまで嵌挿させて連設することになる。
【００３８】
この本装置の回路基板３への取り付けに際しては、固定具２の下面に突出した係止片８を回路基板３の所定位置に穿設された係止孔３ａに鉤状部８ａが回路基板３の裏面に係止するまで圧入嵌挿させることになる。すると、固定具２の鍔片７ａが抗縮弾性体６の上端を上方から押し込み、よって、抗縮弾性体６の下面と回路基板３上面とで挟まれる導電部１ｂは抗縮弾性体６の付勢により常に回路基板３の電通部４に押圧接触せしめられることになる。
【００３９】
本実施例は上述のように構成したから、発光体１の回路基板３への取り付けが非常に簡易に行えるのは勿論、抗縮弾性体６の付勢を利用して発光体１の導電部１ｂを回路基板３の電通部４へ押圧接触せしめる構成であるから、この抗縮弾性体６の付勢作用の及ぶ範囲であれば、仮に発光体１と固定具２との間に寸法誤差があっても、また、例えば被取付機体からの振動を長期に受けたとしてもガタが生じるのを確実に防止することで確実に発光体１の導電部１ｂを回路基板３の電通部４へ押圧接触せしめて安定的な電気供給が達成されることになり、しかも、発光体１から生じる熱を抗縮弾性体６で抑制して固定具２が変形するのも可及的に防止することで、この点においてもガタが生じるのを確実に防止されることになり安定的な電気供給が達成されることになる。
【００４０】
また、本実施例は、発光体１に被覆された抗縮弾性体６が発光体１に対する外部からの振動を保護するクッション作用を発揮することで、例えば取り付け機体から生じる振動を抗縮弾性体６が吸収することで発光体１の故障等は可及的に解消されることになる。
【００４１】
また、本実施例は、抗縮弾性体６による発光体１の保護が良好に行われるのは勿論、発光体１の導電部１ｂにおける回路基板３の電通部４への押圧接触が、前述した従来例と異なり、回路基板３に対する固定具２の装着とは関係のないところ、つまり、硬質な部材同志が接触する部分で行われることのない抗縮弾性体６の弾性が作用する部位で行われることになるから、回路基板３へ固定具２を装着する際に導電部１ｂが破損してしまうようなことはなく、しかも、この抗縮弾性体６の所定位置から突出する導電部１ｂを抗縮弾性体６と回路基板３とで挟持し、抗縮弾性体６の付勢により回路基板３の電通部４に押圧接触せしめられる構成であるから、確実且つ良好な押圧接触が行われることになり、そして更に、その組み付けが極めて簡易に行える構造故に量産性に秀れ且つコスト安となる。
【００４２】
また、本実施例は、単に係止部５により固定具２を回路基板３に係止させるだけで、発光体１に被覆される抗縮弾性体６を回路基板３側へ向けて抱持して回路基板３に押圧接触せしめることができるから、発光体１における回路基板３への固定が極めて簡易行え、しかも、発光体１から生じる熱が伝達されにくい抗縮弾性体６で被覆された部分を抱持して発光体１を保持する構成であるから、固定具２への熱の伝達が抑制されてより一層固定具２の変形は防止されてガタを生じにくくすることができ、ひいては安定的な電気供給が達成されることになる。
【００４３】
また、本実施例は、簡易構造でありながら前述した良好な作用効果を確実に発揮することができ、しかも、簡易構造故に量産性に秀れ且つコスト安となる。
【００４４】
また、本実施例は、発光体１として、発光部１ａと、該発光部１ａに連設される導電部１ｂとから成る発光体を採用することで、例えばパチンコ台やゲーム機などの遊戯用機器に多数配設される発光体において求められる品質安定性（安定的な電気供給）及び耐久性を飛躍的に向上することができ、その特性を十分に発揮し得ることになる。
【００４５】
次に、第二実施例について説明する。
【００４６】
第二実施例は、図３，４に図示したように固定具２を回路基板３の裏面側から表面側へ板状の保持部７から立設される係止片８を嵌挿係止させて回路基板３に付設するタイプのものである。
【００４７】
よって、本実施例によれば、回路基板３に取り付けた際には、回路基板３の表面には発光体１と固定具２の一部が突出するのみで極めて体裁良く取り付けることができる。
【００４８】
また、本実施例に係る抗縮弾性体６は、その左右側面に発光体１の導電部１ｂを折り曲げて配設する凹溝６ｂが形成され、更に、その左右の上面にして当該導電部１ｂにおける回路基板３の通電部４に接触させる先端部を配する面には凸条６ｃが形成されている。この凸条６ｃは、抗縮弾性体６の素材が持つ弾性の他にも形状変化による弾性を利用することで通電部４への接触をより一層良好にせしめることができる。
【００４９】
その余は第一実施例と同様である。
【００５０】
【発明の効果】
本発明は上述のように構成したから、回路組付け体の回路基板への取り付けが非常に簡易に行えるのは勿論、確実に回路組付け体の導電部を回路基板の電通部へ押圧接触せしめて安定的な電気供給が達成されることになり、しかも、回路組付け体に被覆された抗縮弾性体が回路組付け体に対する外部からの振動を保護するクッション作用を発揮することで回路組付け体の故障等は可及的に解消されることになるなど極めて商品価値に秀れ画期的な回路組付け体固定装置となる。
【００５１】
また、本発明は、回路組付け体における回路基板への固定が極めて簡易行え、しかも、回路組付け体から生じる熱が伝達されにくい抗縮弾性体で被覆された部分を抱持して回路組付け体を保持する構成であるから、固定具への熱の伝達が抑制されてより一層固定具の変形は防止されてガタを生じにくくすることができ、ひいては安定的な電気供給が達成されることになり、そして更に、簡易構造でありながら前述した良好な作用効果を確実に発揮することができ、しかも、簡易構造故に量産性に秀れ且つコスト安となるなど極めて商品価値に秀れ画期的な回路組付け体固定装置となる。
【００５２】
また、請求項２記載の発明においては、前記請求項１記載の発明の作用効果に加え、回路組付け体の保護が良好に行われるのは勿論、回路組付け体の導電部における回路基板への押圧接触が確実且つ良好に行われることになり、そして更に、その組み付けが極めて簡易に行える構造故に量産性に秀れ且つコスト安となるなど極めて商品価値に秀れ画期的な回路組付け体固定装置となる。
【００５３】
また、請求項３記載の発明においては、前記請求項１，２記載の発明の作用効果に加え、回路組付け体として、発光部と、該発光部に連設される導電部とから成る発光体を採用することで、例えばパチンコ台やゲーム機などの遊戯用機器に多数配設される発光体において求められる品質安定性（安定的な電気供給）及び耐久性を飛躍的に向上することができ、その特性を十分に発揮し得ることになるなど極めて商品価値に秀れ画期的な回路組付け体固定装置となる。
【図面の簡単な説明】
【図１】第一実施例を説明する分解斜視図である。
【図２】第一実施例の使用状態を示す正断面図である。
【図３】第二実施例を示す分解斜視図である。
【図４】第二実施例の使用状態を示す正断面図である。
【符号の説明】
１  回路組付け体
１ａ  発光部
１ｂ  導電部
２  固定具
３  回路基板
３ａ 係止孔
４  電通部
５  係止部
６  抗縮弾性体
６ａ  収納部
７  保持部
８ａ 鉤状部
【図１】
0003557138.tif 000002
【図２】
0003557138.tif 000003
【図３】
0003557138.tif 000004
【図４】
0003557138.tif 000005